(57)【要約】  空気調和機は、圧縮機と流路切替装置と熱源側熱交換器と膨張装置と利用側熱交換器とが冷媒配管で接続され、冷媒が循環する冷媒回路を有する空気調和機であって、利用側熱交換器を収容した室内機を備え、室温センサが検出した検出結果と、湿度センサが検出した検出結果と、熱交温度センサが検出した検出結果と、を用いて、結露が発生する可能性を推定し、結露が発生する可能性があるときは、流路切替装置を切り替えて、熱交温度センサの検出結果を、室温センサの検出結果に近づける、結露防止運転を実行するものである。
2017104086.tif 000002
【特許請求の範囲】
【請求項１】
圧縮機と流路切替装置と熱源側熱交換器と膨張装置と利用側熱交換器とが冷媒配管で接続され、冷媒が循環する冷媒回路を有する空気調和機であって、
室内に設置され、前記利用側熱交換器を収容した室内機を備え、
前記室内機は、
前記利用側熱交換器への送風を行う室内機ファンと、
前記室内の温度を検出する室温センサと、
前記利用側熱交換器の温度を検出する熱交温度センサと、
当該室内機に収容され、前記利用側熱交換器と熱交換する前の空気の湿度を検出する湿度センサと、を有し、
前記室内機は、前記室内機ファンが送風を停止している当該室内機の運転休止中に、
前記室温センサが検出した検出結果と、前記湿度センサが検出した検出結果と、前記熱交温度センサが検出した検出結果と、を用いて、結露が発生する可能性を推定し、結露が発生する可能性があるときは、
前記流路切替装置を切り替えて、前記熱交温度センサの検出結果を、前記室温センサの検出結果に近づける、結露防止運転を実行する、
空気調和機。
【請求項２】
当該空気調和機の制御を行う制御装置をさらに備え、
前記制御装置は、前記室温センサの検出結果と、前記熱交温度センサの検出結果と、を比較して、温度が高い高温温度と、温度が低い低温温度と、を判定し、
前記湿度センサの検出結果と前記高温温度とから露点温度を算出し、
前記露点温度と前記低温温度とを用いて、結露が発生する可能性を推定し、結露が発生する可能性があるときは、前記結露防止運転を実行する、
請求項１に記載の空気調和機。
【請求項３】
前記熱交温度センサの検出結果と、前記室温センサの検出結果と、の差が、閾値以下となったときに、前記結露防止運転を終了し、前記流路切替装置を切り替える、
請求項１または請求項２に記載の空気調和機。
【請求項４】
互いに並列に接続された複数台の前記室内機を備え、
前記運転休止中の前記室内機と、運転を休止せず冷房運転または暖房運転を実行している通常運転中の前記室内機と、があるときに、前記結露防止運転を実行するときは、
前記通常運転中の前記室内機は、前記室内機ファンを停止する、
請求項１〜請求項３の何れか一項に記載の空気調和機。
【請求項５】
複数台の前記室内機のそれぞれは前記膨張装置を有し、
前記結露防止運転を実行するときは、
前記通常運転中の前記室内機は、前記膨張装置の開度を小さくする、
請求項４に記載の空気調和機。
【請求項６】
前記結露防止運転を実行するときは、
前記通常運転中の前記室内機は、前記膨張装置を閉止する、
請求項５に記載の空気調和機。
【請求項７】
複数台の前記室内機のそれぞれは、空調空気を吹き出す吹出口を開閉するルーバーを有し、
前記結露防止運転を実行するときは、
前記通常運転中の前記室内機は、前記ルーバーを閉じる、
請求項４〜請求項６の何れか一項に記載の空気調和機。
【発明の詳細な説明】
【技術分野】
【０００１】
この発明は、結露の発生を防止する空気調和機に関する。
【背景技術】
【０００２】
従来から、結露発生の可能性を推定し、結露発生の可能性があると推定した場合には、結露防止運転を開始する空気調和機が知られている（例えば、特許文献１参照）。特許文献１に記載されている従来の空気調和機では、結露防止運転において、室内機が、送風運転を行い、または暖房サイクルでの内部乾燥運転を行っている。
【先行技術文献】
【特許文献】
【０００３】
【特許文献１】特開２０１２−２０７８１１号公報
【発明の概要】
【発明が解決しようとする課題】
【０００４】
しかしながら、特許文献１に記載されているような従来の空気調和機では、結露防止運転において、停止していた室内機が突然送風運転を行うため、ユーザは違和を感じてしまう。さらに、室内機が、送風運転を行うことによって、室内の温度が変化し、室内の快適性が低下してしまうこともある。また、結露防止運転において、暖房サイクルでの内部乾燥運転を行う場合には、室内機の内部が乾燥するまで、暖房サイクルでの運転を実行することとなるため、消費電力が大きくなってしまう。【０００５】
この発明は、上記のような課題を背景としてなされたものであり、ユーザの快適性を損なうことなく、結露の発生を抑制することができる空気調和機を得ることを目的としている。
【課題を解決するための手段】
【０００６】
この発明に係る空気調和機は、圧縮機と流路切替装置と熱源側熱交換器と膨張装置と利用側熱交換器とが冷媒配管で接続され、冷媒が循環する冷媒回路を有する空気調和機であって、室内に設置され、前記利用側熱交換器を収容した室内機を備え、前記室内機は、前記利用側熱交換器への送風を行う室内機ファンと、前記室内の温度を検出する室温センサと、前記利用側熱交換器の温度を検出する熱交温度センサと、当該室内機に収容され、前記利用側熱交換器と熱交換する前の空気の湿度を検出する湿度センサと、を有し、前記室内機は、前記室内機ファンが送風を停止している当該室内機の運転休止中に、前記室温センサが検出した検出結果と、前記湿度センサが検出した検出結果と、前記熱交温度センサが検出した検出結果と、を用いて、結露が発生する可能性を推定し、結露が発生する可能性があるときは、前記流路切替装置を切り替えて、前記熱交温度センサの検出結果を、前記室温センサの検出結果に近づける、結露防止運転を実行するものである。【０００７】
この発明に係る空気調和機は、室内機の内部の温度を室内の温度に近づけることで、結露の発生を防止しているため、ユーザの快適性を損なうことなく結露の発生を防止することができる空気調和機が得られる。
【図面の簡単な説明】
【０００８】
【図１】この発明の実施の形態１に係る空気調和機の構成の一例を模式的に記載した図である。
【図２】図１に記載の室内機および室内機の制御装置の構成の一例を説明する図である。
【図３】図１に記載の空気調和機の結露防止運転の動作の一例を説明する図である。
【発明を実施するための形態】
【０００９】
以下、図面を参照して、この発明の実施の形態について説明する。なお、各図中、同一または相当する部分には、同一符号を付して、その説明を適宜省略または簡略化する。また、各図に記載の構成について、その形状、大きさおよび配置等は、この発明の範囲内で適宜変更することができる。
【００１０】
実施の形態１．
［空気調和機］
図１は、この発明の実施の形態１に係る空気調和機の構成の一例を模式的に記載した図であり、図２は、図１に記載の室内機および室内機の制御装置の構成の一例を説明する図である。図１に示すように、この実施の形態の例に係る空気調和機１は、部屋の内部の室内の空調を行うものであり、冷媒が循環する冷媒回路１Ａを有している。冷媒回路１Ａは、室内機１００Ａと室内機１００Ｂと室外機２００とが冷媒配管で接続されることによって形成される。室内機１００Ａと室内機１００Ｂとは互いに並列に接続されている。なお、図１の例では、１台の室外機２００が記載されているが、この実施の形態の空気調和機１は、２台以上の室外機を有するものであってもよい。また、図１の例では、室内機１００Ａおよび室内機１００Ｂの２台の室内機が記載されているが、この実施の形態の空気調和機１は、１台または３台以上の室内機を有するものであってもよい。
【００１１】
［室外機］
室外機２００は、例えば部屋の外部の屋外に設置され、空調の熱を廃熱または供給する熱源機として機能するものである。室外機２００は、例えば、冷媒配管で接続された圧縮機２０２と流路切替装置２０４と熱源側熱交換器２０６とを収容している。
【００１２】
圧縮機２０２は、冷媒を吸入し圧縮して高温・高圧の状態で吐出するものである。圧縮機２０２は、例えば、インバータで制御が行われるインバータ圧縮機であり、運転周波数を任意に変化させて、容量（単位時間あたりに冷媒を送り出す量）を変化させることができる。流路切替装置２０４は、例えば、四方弁等で構成されており、冷房運転時と暖房運転時とで、冷媒回路１Ａの流路を切り替えるものである。熱源側熱交換器２０６は、例えば、冷媒を空気と熱交換させるものである。
【００１３】
また、室外機２００は、熱源側熱交換器ファン２０８と室外機制御装置２５０とを有している。熱源側熱交換器ファン２０８は、熱源側熱交換器２０６への送風を行うものであり、例えば熱源側熱交換器２０６の近傍に設置されている。室外機制御装置２５０は、室外機２００を制御するものであり、例えば、アナログ回路、デジタル回路、ＣＰＵ、またはこれらのうちの２つ以上の組み合わせを含んで構成されている。
【００１４】
図２に示すように、室外機制御装置２５０は、例えば、室外機制御部２５２と室外機通信部２５４とを含んでいる。室外機制御部２５２は、例えば、圧縮機２０２の運転周波数を制御し、流路切替装置２０４の切替状態を制御し、熱源側熱交換器ファン２０８の回転数を制御する。また、室外機制御部２５２は、室外機通信部２５４を介して、室内機１００Ａおよび室内機１００Ｂと通信を行うことができる。
【００１５】
［室内機］
図１に示すように、室内機１００Ａおよび室内機１００Ｂは、部屋の内部の室内に設置され、室内に空調空気を供給するものである。室内機１００Ａと室内機１００Ｂとは例えば異なる部屋に設置されているが、室内機１００Ａおよび室内機１００Ｂは同一の部屋に設置されていてもよい。
【００１６】
室内機１００Ａは、冷媒配管で接続された利用側熱交換器１０２Ａと膨張装置１０４Ａとを有している。利用側熱交換器１０２Ａは、冷媒を空気と熱交換させるものである。膨張装置１０４Ａは、冷媒を減圧するものであり、例えば開度を調整できる電子膨張弁である。なお、この実施の形態の膨張装置１０４Ａは、開度を調整できない毛細管と開閉弁とを含んで構成されていてもよい。
【００１７】
また、室内機１００Ａは、ルーバー１０７Ａと熱交温度センサ１３０Ａと室温センサ１３２Ａと湿度センサ１３４Ａと入力装置１３６Ａと室内機ファン１４０Ａと室内機制御装置１５０Ａとを有している。ルーバー１０７Ａは、室内機１００Ａの吹出口１０６Ａに設置され、吹出口１０６Ａを開閉するものである。熱交温度センサ１３０Ａは、利用側熱交換器１０２Ａの温度を検出するものであり、例えば利用側熱交換器１０２Ａに取り付けられている。室温センサ１３２Ａは、室内の空気の温度を検出するものであり、例えば室内機１００Ａの吸込口（図示を省略）と利用側熱交換器１０２Ａとの間の風路に配設されている。湿度センサ１３４Ａは、室内機１００Ａの内部に収容され、利用側熱交換器１０２Ａと熱交換する前の空気の湿度を検出するものである。湿度センサ１３４Ａは、例えば室内機１００Ａの吸込口（図示を省略）と利用側熱交換器１０２Ａとの間の風路に配設されている。入力装置１３６Ａは、空気調和機１への指示を入力するものであり、例えば図示を省略してあるリモートコントローラからの信号を受けるセンサである。例えば、ユーザは、図示を省略してあるリモートコントローラを利用して、空調運転の開始および停止の指示、運転モードの切り替えの指示、設定温度の変更の指示、風量の調整の指示等を行うことができる。
【００１８】
室内機ファン１４０Ａは、利用側熱交換器１０２Ａへの送風を行うものであり、例えば利用側熱交換器１０２Ａの近傍に設置されている。室内機ファン１４０Ａが動作すると、室内機１００Ａの吸込口（図示を省略）から室内の空気が吸い込まれ、吸い込まれた空気が利用側熱交換器１０２Ａを通過して熱交換され、利用側熱交換器１０２Ａで熱交換された空調空気が吹出口１０６Ａから室内に吹き出される。室内機制御装置１５０Ａは、室内機１００Ａを制御するものであり、例えば、アナログ回路、デジタル回路、ＣＰＵ、またはこれらのうちの２つ以上の組み合わせを含んで構成されている。
【００１９】
図２に示すように、室内機制御装置１５０Ａは、例えば、取得部１５２Ａと記憶部１５４Ａと室内機通信部１５６Ａと室内機制御部１５８Ａとを含んでいる。取得部１５２Ａは、例えば、熱交温度センサ１３０Ａの検出結果、室温センサ１３２Ａの検出結果、湿度センサ１３４Ａの検出結果、入力装置１３６Ａに入力されたユーザからの指示、等を取得するものである。取得部１５２Ａが取得したデータは、室内機制御部１５８Ａに入力される。記憶部１５４Ａは、例えば、不揮発性メモリ等で構成されており、室内機制御部１５８Ａが実行する制御プログラム、および室内機１００Ａの制御に利用される閾値等を記憶している。また、例えば、記憶部１５４Ａは、室内機制御部１５８Ａが処理を実行する際にワークエリアとして利用される。室内機制御部１５８Ａは、取得部１５２Ａが取得したデータ等を用いて、例えば、膨張装置１０４Ａの開閉状態を制御し、ルーバー１０７Ａの開閉状態を制御し、室内機ファン１４０Ａの回転数を制御する。また、室内機制御部１５８Ａは、室内機通信部１５６Ａを介して、室外機２００と通信を行うことができる。
【００２０】
図１および図２に示すように、室内機１００Ｂは、室内機１００Ａと実質的に同じ構成を有している。すなわち、利用側熱交換器１０２Ｂは利用側熱交換器１０２Ａに相当し、膨張装置１０４Ｂは膨張装置１０４Ａに相当し、ルーバー１０７Ｂはルーバー１０７Ａに相当し、熱交温度センサ１３０Ｂは熱交温度センサ１３０Ａに相当し、室温センサ１３２Ｂは室温センサ１３２Ａに相当し、湿度センサ１３４Ｂは湿度センサ１３４Ａに相当し、入力装置１３６Ｂは入力装置１３６Ａに相当し、室内機ファン１４０Ｂは室内機ファン１４０Ａに相当し、室内機制御装置１５０Ｂは室内機制御装置１５０Ａに相当し、取得部１５２Ｂは取得部１５２Ａに相当し、記憶部１５４Ｂは記憶部１５４Ａに相当し、室内機通信部１５６Ｂは室内機通信部１５６Ａに相当し、室内機制御部１５８Ｂは室内機制御部１５８Ａに相当するものである。以下では、この実施の形態の理解を容易にするために、室内機１００Ｂの説明を省略しまたは簡略化する場合もある。また、以下では、室内機１００Ａおよび室内機１００Ｂならびに室内機１００Ａおよび室内機１００Ｂの構成要素について、添え字であるＡまたはＢを省略して説明を行う場合もある。
【００２１】
［冷房運転］
次に、空気調和機１の冷房運転時の動作の一例について説明する。冷房運転時には、図１に示すように、室外機２００の流路切替装置２０４が実線の状態に切り替えられている。室外機２００の圧縮機２０２で圧縮された冷媒は、流路切替装置２０４を介して、熱源側熱交換器２０６に流入する。熱源側熱交換器２０６を流れる冷媒は、空気と熱交換して凝縮する。熱源側熱交換器２０６で凝縮した冷媒は、室外機２００から流出し、室内機１００Ａおよび室内機１００Ｂに流入する。
【００２２】
室内機１００Ａに流入した冷媒は、膨張装置１０４Ａで減圧される。膨張装置１０４Ａで減圧された冷媒は、利用側熱交換器１０２Ａで空気と熱交換して蒸発する。利用側熱交換器１０２Ａで蒸発した冷媒は、室内機１００Ａから流出し、室外機２００に流入する。室外機２００に流入した冷媒は、流路切替装置２０４を介して、圧縮機２０２に吸入され、再び圧縮される。
【００２３】
室内機１００Ｂに流入した冷媒は、膨張装置１０４Ｂで減圧される。膨張装置１０４Ｂで減圧された冷媒は、利用側熱交換器１０２Ｂで空気と熱交換して蒸発する。利用側熱交換器１０２Ｂで蒸発した冷媒は、室内機１００Ｂから流出し、室外機２００に流入する。室外機２００に流入した冷媒は、流路切替装置２０４を介して、圧縮機２０２に吸入され、再び圧縮される。
【００２４】
［暖房運転］
次に、空気調和機１の暖房運転時の動作の一例について説明する。暖房運転時には、図１に記載の室外機２００の流路切替装置２０４が破線の状態に切り替えられている。室外機２００の圧縮機２０２で圧縮された冷媒は、流路切替装置２０４を介して、室外機２００から流出し、室内機１００Ａおよび室内機１００Ｂに流入する。
【００２５】
室内機１００Ａに流入した冷媒は、利用側熱交換器１０２Ａで空気と熱交換して凝縮する。利用側熱交換器１０２Ａで凝縮した冷媒は、膨張装置１０４Ａで減圧され、室内機１００Ａから流出し、室外機２００に流入する。室外機２００に流入した冷媒は、熱源側熱交換器２０６に流入し、空気と熱交換して蒸発する。熱源側熱交換器２０６で蒸発した冷媒は、流路切替装置２０４を介して、圧縮機２０２に吸入され、再び圧縮される。
【００２６】
室内機１００Ｂに流入した冷媒は、利用側熱交換器１０２Ｂで空気と熱交換して凝縮する。利用側熱交換器１０２Ｂで凝縮した冷媒は、膨張装置１０４Ｂで減圧され、室内機１００Ｂから流出し、室外機２００に流入する。室外機２００に流入した冷媒は、熱源側熱交換器２０６に流入し、空気と熱交換して蒸発する。熱源側熱交換器２０６で蒸発した冷媒は、流路切替装置２０４を介して、圧縮機２０２に吸入され、再び圧縮される。
【００２７】
［結露防止運転］
図３は、図１に記載の空気調和機の結露防止運転の動作の一例を説明する図である。例えば、まず、図３のステップＳ０２にて、ユーザの指示を受けた空気調和機１が、冷房運転または暖房運転の空調運転を開始すると、図１に記載の室内機１００Ａおよび室内機１００Ｂが室内の空調を行う。
【００２８】
図３のステップＳ０４にて、１台以上の室内機１００が運転休止状態となると、ステップＳ０６に進む。室内機１００の運転休止状態においては、例えば、室内機ファン１４０の動作が停止状態となり、膨張装置１０４が閉状態となり、ルーバー１０７が吹出口１０６を閉止する。なお、例えば、室内機１００は、ユーザの指示を受けることで運転休止状態となる。また、例えば、室内機１００は、タイマーでのタイマー運転休止、室内機１００が設置された領域が目標温度に到達した場合の自動運転休止等によって、運転休止状態となる。なお、以下では、室内機１００Ａが運転休止状態となった場合の例について説明する。
【００２９】
運転休止状態の室内機１００Ａでは、以下のように、結露が発生するおそれがある。
例えば、空気調和機１が冷房運転を行っているときは、運転休止状態の室内機１００Ａにおいて、室内機ファン１４０Ａの動作が停止しているため、利用側熱交換器１０２Ａの周囲の温度が徐々に低下する。また、ルーバー１０７Ａが吹出口１０６Ａを閉止している場合には、利用側熱交換器１０２Ａの周囲の温度の低下がさらに大きくなる。また、膨張装置１０４Ａを閉状態とした場合であっても、ゴミ噛み等によって膨張装置１０４Ａが閉まりきらず、わずかに開いてしまっている場合があり、その場合には、利用側熱交換器１０２Ａに低温の冷媒がわずかに流れるため、利用側熱交換器１０２Ａの温度が徐々に低下する。なお、膨張装置１０４Ａの弁固定のおそれを抑制するために、膨張装置１０４Ａをわずかに開けておくこともある。それらの結果、運転休止状態の室内機１００Ａにおいて、室内機１００Ａの内部の温度が室内の温度よりも大きく低下し、運転休止状態の室内機１００Ａが、例えば浴室またはキッチン等の湿度が高い場所の近傍に設置されている場合には、室内機１００Ａの内部、または吹出口１０６Ａ等で結露が発生するおそれがある。結露が発生すると、結露水が室内に滴下するおそれ等がある。
また、例えば、空気調和機１が暖房運転を行っているときは、運転休止状態の室内機１００Ａにおいて、室内機ファン１４０Ａの動作が停止しているため、利用側熱交換器１０２Ａの周囲の温度が徐々に上昇する。また、ルーバー１０７Ａが吹出口１０６Ａを閉止している場合には、利用側熱交換器１０２Ａの周囲の温度の上昇がさらに大きくなる。また、膨張装置１０４Ａを閉状態とした場合であっても、ゴミ噛み等によって膨張装置１０４Ａが閉まりきらず、わずかに開いてしまっている場合があり、その場合には、利用側熱交換器１０２Ａに高温の冷媒がわずかに流れるため、利用側熱交換器１０２Ａの温度が徐々に上昇する。なお、膨張装置１０４Ａの弁固定のおそれを抑制するために、膨張装置１０４Ａをわずかに開けておくこともある。また、運転休止状態の室内機１００Ａへの冷媒の溜まり込みを抑制するために、膨張装置１０４Ａをわずかに開けておくこともある。それらの結果、運転休止状態の室内機１００Ａにおいて、室内機１００Ａの内部の温度が室内の温度よりも大きく上昇し、運転休止状態の室内機１００Ａが、例えば浴室またはキッチン等の湿度が高い場所の近傍に設置されている場合には、室内機１００Ａの内部等で結露が発生するおそれがある。結露が発生すると、結露水が室内に滴下するおそれ等がある。
【００３０】
そこで、この実施の形態の例の空気調和機１では、ステップＳ０６にて、運転休止状態の室内機１００Ａの、熱交温度センサ１３０Ａの検出結果と、室温センサ１３２Ａの検出結果と、湿度センサ１３４Ａの検出結果と、を用いて、結露が発生する可能性があるか否かを推定する。
例えば、空気調和機１が冷房運転を実施している場合は、室温センサ１３２Ａの検出結果と湿度センサ１３４Ａの検出結果とから露点温度を算出する。そして、露点温度と熱交温度センサ１３０Ａの検出結果とを用いて、結露が発生する可能性があるか否かを推定する。
また、例えば、空気調和機１が暖房運転を実施している場合は、熱交温度センサ１３０Ａの検出結果と湿度センサ１３４Ａの検出結果とから露点温度を算出する。そして、露点温度と室温センサ１３２Ａの検出結果とを用いて、結露が発生する可能性があるか否かを推定する。
したがって、例えば、室温センサ１３２の検出結果と、熱交温度センサ１３０の検出結果と、を比較して、温度が高い高温温度と、温度が低い低温温度と、を判定し、湿度センサ１３４の検出結果と高温温度とから露点温度を算出し、露点温度と低温温度とを用いて、結露が発生する可能性を推定する。
【００３１】
ステップＳ０６にて、結露が発生する可能性があると推定した場合には、ステップＳ０８に進む。ステップＳ０８にて、通常運転中の室内機１００Ｂの運転を停止する。例えば、室外機２００の圧縮機２０２の運転を停止し、室内機１００Ｂの膨張装置１０４Ｂを閉状態とし、室内機ファン１４０Ｂの動作を停止し、ルーバー１０７Ｂが吹出口１０６Ｂを閉止する。
【００３２】
ステップＳ１０にて、流路切替装置２０４を切り替えて、ステップＳ１２にて、結露防止運転を開始する。結露防止運転時は、運転休止状態の室内機１００Ａの膨張装置１０４Ａを開状態とし、室内機ファン１４０Ａの動作を停止したままとし、ルーバー１０７Ａが吹出口１０６Ａを閉止したままの状態とする。そして、圧縮機２０２を動作させる。結露防止運転では、流路切替装置２０４が切り替えられているため、熱交温度センサ１３０の検出結果が、室温センサ１３２の検出結果に近づく。室内機１００Ａの内部の温度を室内の温度に近づけることによって、結露が発生するおそれが抑制される。
【００３３】
ステップＳ１４にて、熱交温度センサ１３０Ａの検出結果と、室温センサ１３２Ａの検出結果と、の差が閾値以下となると、ステップＳ１６に進んで結露防止運転を終了する。なお、例えば、空気調和機１が冷房運転を実行しているときの閾値Ｔ１と、空気調和機１が暖房運転を実行しているときの閾値Ｔ２と、は異なる値であるが、同じ値であってもよい。
【００３４】
ステップＳ１６にて、例えば、圧縮機２０２の運転を停止し、運転休止状態の室内機１００Ａの膨張装置１０４Ａを閉状態とし、室内機ファン１４０Ａの動作を停止したままとし、ルーバー１０７Ａが吹出口１０６Ａを閉止したままの状態とすることで、結露防止運転を終了する。
【００３５】
ステップＳ１８にて、流路切替装置２０４を切り替え、ステップＳ２０にて、通常運転していた室内機１００Ａの運転を再開する。すなわち、通常運転していた室内機１００Ｂの膨張装置１０４Ｂを開状態とし、室内機ファン１４０Ｂの動作を開始し、ルーバー１０７Ｂが吹出口１０６Ａを開状態とし、圧縮機２０２を動作させる。
【００３６】
上記のように、この実施の形態の例の空気調和機１は、圧縮機２０２と流路切替装置２０４と熱源側熱交換器２０６と膨張装置１０４と利用側熱交換器１０２とが冷媒配管で接続され、冷媒が循環する冷媒回路１Ａを有する空気調和機１であって、室内に設置され、利用側熱交換器１０２を収容した室内機１００を備え、室内機１００は、利用側熱交換器１０２への送風を行う室内機ファン１４０と、室内の温度を検出する室温センサ１３２と、利用側熱交換器１０２の温度を検出する熱交温度センサ１３０と、当該室内機１００に収容され、利用側熱交換器１０２と熱交換する前の空気の湿度を検出する湿度センサ１３４と、を有し、室内機１００は、室内機ファン１４０が送風を停止している当該室内機１００の運転休止中に、室温センサ１３２が検出した検出結果と、湿度センサ１３４が検出した検出結果と、熱交温度センサ１３０が検出した検出結果と、を用いて、結露が発生する可能性を推定し、結露が発生する可能性があるときは、流路切替装置２０４を切り替えて、熱交温度センサ１３０の検出結果を、室温センサ１３２の検出結果に近づける、結露防止運転を実行するものである。
例えば、空気調和機１は、空気調和機１の制御を行う制御装置をさらに備えており、制御装置は、室温センサ１３２の検出結果と、熱交温度センサ１３０の検出結果と、を比較して、温度が高い高温温度と、温度が低い低温温度と、を判定し、湿度センサ１３４の検出結果と高温温度とから露点温度を算出し、露点温度と低温温度とを用いて、結露が発生する可能性を推定し、結露が発生する可能性があるときは、結露防止運転を実行する。なお、この発明の「制御装置」は、室内機制御装置１５０または室外機制御装置２５０に相当するものである。
また、例えば、熱交温度センサ１３０の検出結果と、室温センサ１３２の検出結果と、の差が、閾値以下となったときに、結露防止運転を終了し、流路切替装置２０４を切り替える。
この実施の形態の例の空気調和機１では、室内機１００の内部の温度を、室内の温度に近づけることによって、結露の発生を防止する結露防止運転を実行しているため、結露防止運転を実行することによって、室内の環境が変化することが抑制されている。例えば、結露防止運転では、室内機１００の内部の温度を、室内の温度に近づけているのみであるため、結露防止運転時の室内の温度の変化が抑制されている。また、室内機の内部を乾燥させる従来技術と比較して、消費電力が低減されている。
また、この実施の形態の例の空気調和機１では、結露防止運転時に室内機ファン１４０の動作を停止しているため、送風運転を行って結露を防止する従来技術と比較して、ユーザが違和を感じるおそれが抑制されている。さらに、この実施の形態の例の空気調和機１では、結露防止運転時に送風を停止しているため、結露防止運転時の室内の温度の変化が抑制されている。
【００３７】
例えば、空気調和機１は、互いに並列に接続された複数台の室内機１００を備え、運転休止中の室内機１００と、運転を休止せず冷房運転または暖房運転を実行している通常運転中の室内機１００と、があるときに、結露防止運転を実行するときは、通常運転中の室内機１００は、室内機ファン１４０を停止する。結露防止運転時に、通常運転中の室内機１００の室内機ファン１４０を停止することによって、室内の温度が変化するおそれを抑制することができる。
【００３８】
例えば、複数台の室内機１００のそれぞれは膨張装置１０４を有し、結露防止運転を実行するときは、通常運転中の室内機１００は、膨張装置１０４の開度を小さくする。また、例えば、結露防止運転を実行するときは、通常運転中の室内機１００は、膨張装置１０４を閉止する。結露防止運転時に、通常運転中の室内機１００の膨張装置１０４の開度を小さくしまたは閉止することによって、通常運転時とは異なる温度の冷媒が、利用側熱交換器１０２に流入することを抑制することができる。その結果、結露防止運転が終了した後に、通常運転していた室内機１００が、結露防止運転を実行する前の状態に、速やかに復帰することができる。
【００３９】
複数台の室内機１００のそれぞれは、空調空気を吹き出す吹出口１０６を開閉するルーバー１０７を有し、結露防止運転を実行するときは、通常運転中の室内機１００は、ルーバー１０７を閉じる。結露防止運転を実行するときに、通常運転中の室内機１００のルーバー１０７を閉じておくことによって、室内の温度の変化を抑制することができる。
【００４０】
この発明は、上記の実施の形態に限定されるものではなく、この発明の範囲内で種々に改変することができる。すなわち、上記の実施の形態の構成を適宜改良してもよく、また、少なくとも一部を他の構成に代替させてもよい。さらに、その配置について特に限定のない構成要件は、実施の形態で開示した配置に限らず、その機能を達成できる位置に配置することができる。
【符号の説明】
【００４１】
１  空気調和機、１Ａ  冷媒回路、１００  室内機、１００Ａ  室内機、１００Ｂ  室内機、１０２  利用側熱交換器、１０２Ａ  利用側熱交換器、１０２Ｂ  利用側熱交換器、１０４  膨張装置、１０４Ａ  膨張装置、１０４Ｂ  膨張装置、１０６  吹出口、１０６Ａ  吹出口、１０６Ｂ  吹出口、１０７  ルーバー、１０７Ａ  ルーバー、１０７Ｂ  ルーバー、１３０  熱交温度センサ、１３０Ａ  熱交温度センサ、１３０Ｂ  熱交温度センサ、１３２  室温センサ、１３２Ａ  室温センサ、１３２Ｂ  室温センサ、１３４  湿度センサ、１３４Ａ  湿度センサ、１３４Ｂ  湿度センサ、１３６Ａ  入力装置、１３６Ｂ  入力装置、１４０  室内機ファン、１４０Ａ  室内機ファン、１４０Ｂ  室内機ファン、１５０  室内機制御装置、１５０Ａ  室内機制御装置、１５０Ｂ  室内機制御装置、１５２Ａ  取得部、１５２Ｂ  取得部、１５４Ａ  記憶部、１５４Ｂ  記憶部、１５６Ａ  室内機通信部、１５６Ｂ  室内機通信部、１５８Ａ  室内機制御部、１５８Ｂ  室内機制御部、２００  室外機、２０２  圧縮機、２０４  流路切替装置、２０６  熱源側熱交換器、２０８  熱源側熱交換器ファン、２５０  室外機制御装置、２５２  室外機制御部、２５４  室外機通信部。
【図１】
2017104086.tif 000003
【図２】
2017104086.tif 000004
【図３】
2017104086.tif 000005
【手続補正書】
【提出日】平成30年4月12日(2018.4.12)
【手続補正１】
【補正対象書類名】明細書
【補正対象項目名】０００６
【補正方法】変更
【補正の内容】
【０００６】
この発明に係る空気調和機は、圧縮機と流路切替装置と熱源側熱交換器と膨張装置と利用側熱交換器とが冷媒配管で接続され、冷媒が循環する冷媒回路を有する空気調和機であって、当該空気調和機の制御を行う制御装置、及び、室内に設置され、前記利用側熱交換器を収容した室内機を備え、前記室内機は、前記利用側熱交換器への送風を行う室内機ファンと、前記室内の温度を検出する室温センサと、前記利用側熱交換器の温度を検出する熱交温度センサと、当該室内機に収容され、前記利用側熱交換器と熱交換する前の空気の湿度を検出する湿度センサと、を有し、前記制御装置は、前記室内機ファンが送風を停止している当該室内機の運転休止中に、前記室温センサが検出した検出結果と、前記湿度センサが検出した検出結果と、前記熱交温度センサが検出した検出結果と、を取得し、前記室温センサの検出結果と、前記熱交温度センサの検出結果と、を比較して、温度が高い高温温度と、温度が低い低温温度と、を判定し、前記湿度センサの検出結果と前記高温温度とから露点温度を算出し、前記露点温度と前記低温温度とを用いて、結露が発生する可能性を推定し、結露が発生する可能性があるときは、前記流路切替装置を切り替えて、前記熱交温度センサの検出結果を、前記室温センサの検出結果に近づける、結露防止運転を実行するものである。
【手続補正２】
【補正対象書類名】特許請求の範囲
【補正対象項目名】全文
【補正方法】変更
【補正の内容】
【特許請求の範囲】
【請求項１】
圧縮機と流路切替装置と熱源側熱交換器と膨張装置と利用側熱交換器とが冷媒配管で接続され、冷媒が循環する冷媒回路を有する空気調和機であって、
当該空気調和機の制御を行う制御装置、及び、室内に設置され、前記利用側熱交換器を収容した室内機を備え、
前記室内機は、
前記利用側熱交換器への送風を行う室内機ファンと、
前記室内の温度を検出する室温センサと、
前記利用側熱交換器の温度を検出する熱交温度センサと、
当該室内機に収容され、前記利用側熱交換器と熱交換する前の空気の湿度を検出する湿度センサと、を有し、
前記制御装置は、前記室内機ファンが送風を停止している当該室内機の運転休止中に、
前記室温センサが検出した検出結果と、前記湿度センサが検出した検出結果と、前記熱交温度センサが検出した検出結果と、を取得し、
前記室温センサの検出結果と、前記熱交温度センサの検出結果と、を比較して、温度が高い高温温度と、温度が低い低温温度と、を判定し、
前記湿度センサの検出結果と前記高温温度とから露点温度を算出し、
前記露点温度と前記低温温度とを用いて、結露が発生する可能性を推定し、結露が発生する可能性があるときは、
前記流路切替装置を切り替えて、前記熱交温度センサの検出結果を、前記室温センサの検出結果に近づける、結露防止運転を実行する、
空気調和機。
【請求項２】
前記熱交温度センサの検出結果と、前記室温センサの検出結果と、の差が、閾値以下となったときに、前記結露防止運転を終了し、前記流路切替装置を切り替える、
請求項１に記載の空気調和機。
【請求項３】
圧縮機と流路切替装置と熱源側熱交換器と膨張装置と利用側熱交換器とが冷媒配管で接続され、冷媒が循環する冷媒回路を有する空気調和機であって、
室内に設置され、前記利用側熱交換器を収容し、互いに並列に接続された複数台の室内機を備え、
前記複数台の室内機のそれぞれは、
前記利用側熱交換器への送風を行う室内機ファンと、
前記室内の温度を検出する室温センサと、
前記利用側熱交換器の温度を検出する熱交温度センサと、
当該室内機に収容され、前記利用側熱交換器と熱交換する前の空気の湿度を検出する湿度センサと、を有し、
前記室内機ファンが送風を停止している運転休止中の前記室内機において、
前記室温センサが検出した検出結果と、前記湿度センサが検出した検出結果と、前記熱交温度センサが検出した検出結果と、を用いて、結露が発生する可能性を推定し、結露が発生する可能性があるときは、
前記流路切替装置を切り替えて、前記熱交温度センサの検出結果を、前記室温センサの検出結果に近づける、結露防止運転を実行し、
前記運転休止中の前記室内機と、運転を休止せず冷房運転または暖房運転を実行している通常運転中の前記室内機と、があるときに、前記結露防止運転を実行するときは、
前記通常運転中の前記室内機は、前記室内機ファンを停止する、
空気調和機。
【請求項４】
複数台の前記室内機のそれぞれは前記膨張装置を有し、
前記結露防止運転を実行するときは、
前記通常運転中の前記室内機は、前記膨張装置の開度を小さくする、
請求項３に記載の空気調和機。
【請求項５】
前記結露防止運転を実行するときは、
前記通常運転中の前記室内機は、前記膨張装置を閉止する、
請求項４に記載の空気調和機。
【請求項６】
複数台の前記室内機のそれぞれは、空調空気を吹き出す吹出口を開閉するルーバーを有し、
前記結露防止運転を実行するときは、
前記通常運転中の前記室内機は、前記ルーバーを閉じる、
請求項３〜請求項５の何れか一項に記載の空気調和機。
【国際調査報告】
2017104086.tif 000006
2017104086.tif 000007
2017104086.tif 000008
2017104086.tif 000009